(57)【要約】【課題】押釦つまみの周囲に揺動つまみを設置してなる構造の多方向押圧型スイッチに、さらに回転式電子部品の機能も一体に併せ持たせることができる多方向押圧型スイッチを提供する。【解決手段】押釦つまみ９０と、押釦つまみ９０を囲むように設置される揺動つまみ５０と、押釦つまみ９０によって押圧される位置に設置される中央スイッチ２１５と、中央スイッチ２１５の周囲であって揺動つまみ５０によって押圧される位置に設置される外周スイッチ１９３と、揺動つまみ５０の外周を囲む位置に設置されてその回転つまみ１０を回動することでその電気的出力を変化する回転式電子部品とを具備してなる多方向押圧型スイッチ１−１である。【選択図】図２
2005317337.tif 000002
【特許請求の範囲】
【請求項１】
押釦つまみと、前記押釦つまみを囲むように設置される揺動つまみと、前記押釦つまみによって押圧される位置に設置される中央スイッチと、前記中央スイッチの周囲であって前記揺動つまみによって押圧される位置に設置される外周スイッチと、
前記揺動つまみの外周を囲む位置に設置されてその回転つまみを回動することでその電気的出力を変化する回転式電子部品とを具備してなることを特徴とする多方向押圧型スイッチ。
【請求項２】
前記押釦つまみによって押圧される中央スイッチは、押圧方向に複数に積層されて構成された多段スイッチであることを特徴とする請求項１に記載の多方向押圧型スイッチ。
【請求項３】
前記回転式電子部品には、その回転つまみを所定位置でロック及びロック解除を行うロック機構が設けられていることを特徴とする請求項１又は２に記載の多方向押圧型スイッチ。
【請求項４】
前記回転つまみの下面側に、この回転つまみと一体に回転して回転式電子部品の電気的出力を変化する回転型物を取り付けると共に、前記回転型物の中央に設けた軸支孔に挿入されてこの回転型物及び回転つまみを回動自在に軸支する軸支部を有する固定部材を設置し、さらに前記固定部材の軸支部内に設けた開口部内に、この固定部材と一体に、可撓性を有する連結部材と、この連結部材によって上下動自在に保持される押釦つまみ載置部とを成形し、この押釦つまみ載置部に前記中央スイッチ及び押釦つまみを設置したことを特徴とする請求項１又は２に記載の多方向押圧型スイッチ。
【請求項５】
押釦つまみと、前記押釦つまみを囲むように設置される揺動つまみと、前記押釦つまみによって押圧される位置に設置される中央スイッチと、前記中央スイッチの周囲であって前記揺動つまみによって押圧される位置に設置される外周スイッチと、前記押釦つまみと揺動つまみとをそれぞれ連結部材を介して保持する固定部材とを具備し、
前記押釦つまみを固定部材に上下動自在に保持する第一連結部材と、前記揺動つまみを固定部材に揺動自在に保持する第二連結部材とを、別部品で構成したことを特徴とする多方向押圧型スイッチ。
【発明の詳細な説明】
【技術分野】
【０００１】
本発明は、揺動つまみを多方向に揺動させることでその下に配置したスイッチをオンオフし、また揺動つまみの中央に設置した押釦つまみを押圧することでその下に設置したスイッチをオンオフする構造の多方向押圧型スイッチに関するものである。
【背景技術】
【０００２】
従来、車載用ナビゲーションシステム、コンピュータ、各種携帯機器、各種ＯＡ機器、ゲーム機などを操作するデバイスとして、多方向押圧型スイッチがある。そして多方向押圧型スイッチの中には、円盤状（パッド状）の揺動つまみの中央に押釦つまみを設けた構造のものがある。
【０００３】
図１１はこの種の従来の多方向押圧型スイッチ３００を示す概略断面図である（特許文献１の図４参照）。この多方向押圧型スイッチ３００は、押釦つまみ３１０と、押釦つまみ３１０を中央の貫通孔３３３に挿通した状態で揺動する揺動つまみ３３０とを可撓性フイルムからなる連結部材３５０上に取り付け、連結部材３５０に保持した押釦つまみ３１０と揺動つまみ３３０とを取付板３７０上に固定したスイッチ基板３９０の上に設置し、そのときスイッチ基板３９０の中央とその周囲四ヶ所（図では二ヶ所のみ示す）に取り付けた反転板（可動接点板）３９１の上に前記押釦つまみ３１０の押圧部３１１と前記揺動つまみ３３０の四ヶ所の押圧部３３１（図では二ヶ所のみ示す）とを当接し、さらに前記連結部材３５０を揺動つまみ３３０の周囲を覆うケース４１０の図示しない所定部分に固定して構成されている。
【０００４】
この多方向押圧型スイッチ３００によれば、可撓性フイルムからなる薄い連結部材３５０上に押釦つまみ３１０と揺動つまみ３３０とを取り付けるので、その小型・薄型化が図れる。しかしながら上記従来の多方向押圧型スイッチ３００によれば、以下のような問題点があった。
【０００５】
（１）電子機器の小型化のため、さらなる操作スイッチの集積化が要求されており、このため前記多方向押圧型スイッチに加えて回転式電子部品をも一体化したものが要望されている。しかしながら従来このような構造の多方向押圧型スイッチはなかった。
【０００６】
（２）一枚の連結部材３５０に揺動つまみ３３０と押釦つまみ３１０とを保持しているので、押釦つまみ３１０の上下方向の動きが制限され、大きなストロークが取れず、このため例えば押釦つまみ３１０によってオンオフしようとするスイッチを多段化する際の支障となっていた。
【特許文献１】特開２００１−１８５００４号公報
【発明の開示】
【発明が解決しようとする課題】
【０００７】
本発明は上述の点に鑑みてなされたものでありその目的は、押釦つまみの周囲に揺動つまみを設置してなる構造の多方向押圧型スイッチに、さらに回転式電子部品の機能も一体に併せ持たせることができる多方向押圧型スイッチを提供することにある。
【０００８】
また本発明の目的は、押釦つまみの周囲に揺動つまみを設置してなる構造の多方向押圧型スイッチにおいて、押釦つまみのストロークを容易に大きく取ることができてスイッチの多段化が容易に図れる多方向押圧型スイッチを提供することにある。
【課題を解決するための手段】
【０００９】
本願請求項１に記載の発明は、押釦つまみと、前記押釦つまみを囲むように設置される揺動つまみと、前記押釦つまみによって押圧される位置に設置される中央スイッチと、前記中央スイッチの周囲であって前記揺動つまみによって押圧される位置に設置される外周スイッチと、前記揺動つまみの外周を囲む位置に設置されてその回転つまみを回動することでその電気的出力を変化する回転式電子部品とを具備してなることを特徴とする多方向押圧型スイッチにある。
【００１０】
本願請求項２に記載の発明は、前記押釦つまみによって押圧される中央スイッチは、押圧方向に複数に積層されて構成された多段スイッチであることを特徴とする請求項１に記載の多方向押圧型スイッチにある。
【００１１】
本願請求項３に記載の発明は、前記回転式電子部品には、その回転つまみを所定位置でロック及びロック解除を行うロック機構が設けられていることを特徴とする請求項１又は２に記載の多方向押圧型スイッチにある。
【００１２】
本願請求項４に記載の発明は、前記回転つまみの下面側に、この回転つまみと一体に回転して回転式電子部品の電気的出力を変化する回転型物を取り付けると共に、前記回転型物の中央に設けた軸支孔に挿入されてこの回転型物及び回転つまみを回動自在に軸支する軸支部を有する固定部材を設置し、さらに前記固定部材の軸支部内に設けた開口部内に、この固定部材と一体に、可撓性を有する連結部材と、この連結部材によって上下動自在に保持される押釦つまみ載置部とを成形し、この押釦つまみ載置部に前記中央スイッチ及び押釦つまみを設置したことを特徴とする請求項１又は２に記載の多方向押圧型スイッチにある。
【００１３】
本願請求項５に記載の発明は、押釦つまみと、前記押釦つまみを囲むように設置される揺動つまみと、前記押釦つまみによって押圧される位置に設置される中央スイッチと、前記中央スイッチの周囲であって前記揺動つまみによって押圧される位置に設置される外周スイッチと、前記押釦つまみと揺動つまみとをそれぞれ連結部材を介して保持する固定部材とを具備し、前記押釦つまみを固定部材に上下動自在に保持する第一連結部材と、前記揺動つまみを固定部材に揺動自在に保持する第二連結部材とを、別部品で構成したことを特徴とする多方向押圧型スイッチにある。
【発明の効果】
【００１４】
請求項１に記載の発明によれば、多方向押圧型スイッチの外周部分のスペースをそのまま回転式電子部品として利用することができ、容易に多方向押圧型スイッチに回転式電子部品の機能をも一体に併せ持たせることができる。
【００１５】
請求項２に記載の発明によれば、押釦つまみによって押圧される中央スイッチを多段スイッチとすることができる。
【００１６】
請求項３に記載の発明によれば、回転つまみの回転を制限することができる。
【００１７】
請求項４に記載の発明によれば、回転型物の中央に設けた軸支孔に挿入されてこの回転型物及び回転つまみを回動自在に軸支する軸支部を有する固定部材を設置したので、回転式電子部品を多方向押圧型スイッチの外周に簡単な構造で容易に設置することが可能となる。
【００１８】
また固定部材の軸支部内に設けた開口部内に、この固定部材と一体に、可撓性を有する連結部材と、この連結部材によって上下動自在に保持される押釦つまみ載置部とを成形し、この押釦つまみ載置部に中央スイッチ及び押釦つまみを設置したので、回転型物及び回転つまみを回動自在に軸支する固定部材を、中央スイッチ及び押釦つまみの保持部材として兼用できる。
【００１９】
請求項５に記載の発明によれば、押釦つまみを固定部材に上下動自在に保持する第一連結部材と、揺動つまみを固定部材に揺動自在に保持する第二連結部材とを、別部品で構成したので、押釦つまみのストロークを容易に大きく取ることができてスイッチの多段化が容易に図れる。
【発明を実施するための最良の形態】
【００２０】
以下、本発明の実施形態を図面に基づいて詳細に説明する。
〔第一実施形態〕
図１−１，図１−２は、本発明の第一実施形態にかかる回転式電子部品付き多方向押圧型スイッチ（以下簡略化のため「多方向押圧型スイッチ」という）１−１の分解斜視図である。また図２はこの多方向押圧型スイッチ１−１の概略断面図（但し図示の都合上、切断面は各部で異ならせている）である。図１−１，１−２に示すようにこの多方向押圧型スイッチ１−１は、その上側から、回転つまみ１０と、ロックつまみ３０と、揺動つまみ５０と、第二連結部材（以下「連結部材」という）７０と、押釦つまみ９０と、固定部材１１０と、クリック板１４０と、板バネ１５０と、回転型物１７０と、フレキシブル基板１９０と、取付板２４０とを具備して構成されている。以下各構成部品について説明する。
【００２１】
回転つまみ１０は成形樹脂製であり、略円板状で中央に円形の開口部１３を有する上面部１１と、上面部１１の外周辺から下方向に向かう側壁部１２とを具備し、さらに上面部１１の所定位置に略楕円形状に開口するロックつまみ挿入部１５を設けるとともに、上面部１１の下面のロックつまみ挿入部１５の両側に小突起状のストッパー部１７−１，２を設けて構成されている。また側壁部１２の所定位置には四つ（図１−１では二つのみ示す）の貫通する係止孔１８が設けられている。
【００２２】
ロックつまみ３０は成形樹脂製であり、前記回転つまみ１０のロックつまみ挿入部１５に上下動自在に挿入される楕円柱形状のつまみ本体部３１と、つまみ本体部３１の下部外周から水平方向に張り出すつば部３３と、つまみ本体部３１の下方に設けられて下記する固定部材１１０のロック係合部１２３にその上下方向に向かって係合・離脱するロック部３５とを具備して構成されている。
【００２３】
図３は揺動つまみ５０を下面側から見た斜視図である。図１−１，図３に示すように揺動つまみ５０は成形樹脂製であり、円板状の本体部５１の中央に下記する押釦つまみ９０のつまみ本体部９１を上下動自在に挿入する円形の開口からなるつまみ挿入部５３を設け、また本体部５１の外周下面から半径方向外側に向けてつば部５５を突出し、また本体部５１の下面から下方向に向けて突出する四本の柱状の押圧部５９を設けて構成されている。各押圧部５９の根元部分の外周には、１８０°対向する位置に一対ずつ小突起状の固定部６１が設けられている。さらに本体部５１の下面の各押圧部５９よりもつまみ挿入部５３側の位置（四ヶ所）には、それぞれ二本の小突起を突出することでその間にガイド溝６３を形成している。
【００２４】
連結部材７０は可撓性を有する合成樹脂フイルム（例えばポリエチレンテレフタレートフイルム）製であり、略四角形状であって且つその中央に四角形状の開口部７３を設けた連結部７１の四隅から外方に向けて四本のアーム部７５を突出し、各アーム部７５の先端に円形の固定部７７を設け、各固定部７７の内部に貫通する円形の小孔からなる固定孔７９を設け、一方連結部７１を構成する各辺の中央位置から外方に向けて四つの舌片状の固定部８１を突出し、各固定部８１の内部に貫通する固定孔８３を設けて構成されている。固定孔８３は円形の小孔の両側に矩形状の切り欠きを設けて構成されており、ちょうど前記揺動つまみ５０の押圧部５９とその両側の固定部６１とを同時に挿入できる寸法形状に形成されている。
【００２５】
図４は押釦つまみ９０を下面側から見た斜視図である。図４及び図１−１に示すように、押釦つまみ９０は成形樹脂製であり、円柱状のつまみ本体部９１の下面外周からつば部９３を突出し、またつば部９３の外周からさらに等間隔に四本のガイド突起９５を突出し、またつば部９３の外周の１８０°対向する位置から一対の突出部９７を設けてそれらの下面から小突起状の固定部９９を突出して構成されている。
【００２６】
図５は固定部材１１０を下面側から見た斜視図である。図５及び図１−１に示すように固定部材１１０は成形樹脂製であり、略円板状の基部１１１の中央に円形の開口部１１３を設けると共に、開口部１１３を跨ぐ一対の第一連結部材（以下「ヒンジ」という）１１５，１１５が設けられ、その連結部材１１５，１１５間に押釦つまみ載置部１１７を一体に設けて構成されている。開口部１１３の周囲には下方向に向かって略円筒状に突出する軸支部１１６が設けられている。軸支部１１６の下面には四本の小突起状の固定部１１８が設けられている。また基部１１１の上面には、前記連結部材７０の固定孔７９に挿入する小突起状の固定突起１１９が四つと、その上面を前記回転つまみ１０の上面部１１の裏面に当接して回転つまみ１０を支持する小突起状の回転つまみ支持部１２０が六つ設けられている。一方基部１１１の外周からは平板状で扇状に張り出すロック用基部１２１が設けられ、その外周には前記ロックつまみ３０のロック部３５を上下動自在に挿入する寸法形状の矩形状の切り欠きからなるロック係合部１２３が設けられ、またロック用基部１２１の上面の外周近傍には二つの小突起状のストッパー部１２５，１２６が設けられている。
【００２７】
次に前記開口部１１３の内周面の対向する位置からは平板状の補強部１２７，１２７が突出して設けられ、各補強部１２７，１２７の先端辺中央にはそれぞれ前記揺動つまみ５０の対向する二つの押圧部５９を上下動自在に挿入して揺動つまみ５０の回り止めを行う切り欠き状の回り止め部１２９，１２９が設けられている。
【００２８】
次に押釦つまみ載置部１１７は、平板矩形状であってその両側辺から舌片状の突出部１３１，１３１を突出する形状に形成され、また突出部１３１，１３１に小孔からなる取付部１３２，１３２を設けて構成されている。なお両取付部１３２は、押釦つまみ９０の両固定部９９を挿入する寸法形状に形成されている。
【００２９】
さらに固定部材１１０の開口部１１３の内周面からは一対の舌片状の支持部１３７が突出し、各支持部１３７の下面からは小突起状の固定部１３９が突出している。
【００３０】
クリック板１４０は、金属板をリング状に形成して中央に開口１４７を設けて構成されており、その所定位置には開口からなるクリック係合部１４１が設けられ、またその内周からは舌片状の一対の突起１４３が突出してその内部に前記固定部材１１０の固定部１３９を挿入する小孔からなる係止部１４５が設けられている。
【００３１】
板バネ１５０は弾性金属板をリング状に形成して中央に開口１６５を設けて構成されており、その所定位置に上方向に向かって少し持ち上げられた円弧状のクリック用アーム部１５１と、クリック用アーム部１５１に対向する位置に設けられ上方向に向かって少し持ち上げられた円弧状のロックつまみ押上用アーム部１５３と、両アーム部１５１，１５３の間の位置に設けられ外方向に突出する突出面１５５の内部に形成される開口部１５７と、両アーム部１５１，１５３のそれぞれ根元部分に設けられる四つの小孔からなる取付部１５９とを具備して構成されている。そしてクリック用アーム部１５１の中央には突状のクリック係合部１６１が設けられ、ロックつまみ押上用アーム部１５３の中央には舌片状に外周及び上方に突出する押し上げ部１６３が設けられている。
【００３２】
図６は回転型物１７０を下面側から見た斜視図である。図６及び図１−２に示すように、回転型物１７０は成形樹脂製であり、リング状で平板状に形成されることでその中央に軸支孔１７１を設け、またその上面の前記板バネ１５０の各取付部１５９に対向する位置に小突起状の固定部１７３を設け、またその外周の前記ロックつまみ３０に対向する位置に切り欠き状でロックつまみ３０のロック部３５を上下動自在に挿入するロック部収納部１７５を設け、さらに回転型物１７０の下面に摺動子収納凹部１７７を設けて構成されている。回転型物１７０の上面の前記摺動子収納凹部１７７に対向する位置には、摺動子収納凹部１７７を設けることでその肉厚が薄くなるのを防止するために突出部１７９が形成されている。また摺動子収納凹部１７７内には、摺動子固定用突起１８１と、摺動子位置決め突起１８３とが二つずつ設けられている。また回転型物１７０の外周側辺の前記回転つまみ１０の係止孔１８に対応する位置には、これに係合する係止突起１８４が設けられている。
【００３３】
摺動子１８５は弾性金属板製であり、下側に折り返したアーム部１８６の先端に摺接部１８７が設けられ、またその所定位置には前記摺動子固定用突起１８１と摺動子位置決め突起１８３に挿入される二つずつの貫通孔１８８，１８９が設けられている。
【００３４】
フレキシブル基板１９０は可撓性を有する円形の合成樹脂フイルム１９１上に、四つの外周スイッチ１９３を円周状に設けると共に、その周囲に所望の円弧状の摺接パターン１９４を設け、さらに三つの係止穴１９７とスイッチ取付部２０１とを設けて構成されている。四つの外周スイッチ１９３は、フレキシブル基板１９０の中央に設けた円形開口からなる挿通穴１９２の周囲にリング状に等間隔に設置されている。各外周スイッチ１９３はフレキシブル基板１９０に形成された図示しない接点パターンを覆うように弾性金属板をドーム形状に形成してなる反転板（可動接点板）１９５を取り付けて構成されている。摺接パターン１９４は、前記摺動子１８５の摺接部１８７が摺接する位置に設けられる円弧状のパターンであり、スイッチパターンであっても抵抗体パターンであっても良い。三つの係止穴１９７は何れも前記固定部材１１０の下面に設けた固定部１１８を挿入する位置に設けられている。
【００３５】
一方スイッチ取付部２０１は、帯状の連結部２０３の先端に設けられ、略矩形状で前記固定部材１１０の押釦つまみ載置部１１７と略同一の外形寸法形状に形成され、その対向する一対の外周辺からは舌片状の突出部２１１が突出し、各突出部２１１には貫通孔からなる取付部２１３が設けられている。スイッチ取付部２０１の中央には中央スイッチ２１５が設けられている。中央スイッチ２１５はスイッチ取付部２０１に形成された図示しない接点パターンを覆うように弾性金属板をドーム形状に形成してなる反転板（可動接点板）２１６を取り付けて構成されている。
【００３６】
取付板２４０は金属製又は成形樹脂製の硬質板であり、前記フレキシブル基板１９０の外形形状と略同一外形形状（円形）に形成され、前記固定部材１１０の下面に設けた固定部１１８に対向する位置にそれぞれ係止孔２４１を四つ設け、また前記フレキシブル基板１９０の挿通穴１９２に対向する位置にこの挿通穴１９２を貫通する寸法の円形の突起からなる押圧部２４３を設けて構成されている。
【００３７】
次にこの多方向押圧型スイッチ１−１の組み立て方法の一例を説明する。まず予め揺動つまみ５０の下面側に連結部材７０を配置して、揺動つまみ５０の各押圧部５９を連結部材７０の各固定孔８３内に挿入し、連結部材７０の下面側に突出した固定部６１を熱カシメによって潰すことで、連結部材７０を揺動つまみ５０に取り付けておく。
【００３８】
一方固定部材１１０の下面にクリック板１４０を配置し、クリック板１４０の各係止部１４５に固定部材１１０の下面から突出する固定部１３９を挿入してその先端を熱カシメすることで、固定部材１１０にクリック板１４０を取り付けておく。
【００３９】
また回転型物１７０の上面に板バネ１５０を載置して回転型物１７０の各固定部１７３を板バネ１５０の各取付部１５９に挿入し、その先端を熱カシメすることで取り付ける。このとき板バネ１５０の開口部１５７内に、回転型物１７０の突出部１７９が挿入される。一方回転型物１７０の下面の摺動子収納凹部１７７内に摺動子１８５を収納し、その際回転型物１７０に設けた摺動子固定用突起１８１と摺動子位置決め用突起１８３とを、それぞれ摺動子１８５に設けた貫通孔１８８，１８９に挿入し、摺動子固定用突起１８１の先端を熱カシメすることで取り付けておく。
【００４０】
そしてフレキシブル基板１９０のスイッチ取付部２０１を、図１−２に示す状態からフレキシブル基板１９０の上面側に折り返した上で、回転型物１７０の軸支孔１７１及び板バネ１５０の開口１６５を通して、固定部材１１０の押釦つまみ載置部１１７の下面に載置する。このときスイッチ取付部２０１に取り付けたスイッチ２１５の反転板２１６は下向きとなっている。そしてこの押釦つまみ載置部１１７上に、押釦つまみ９０を載置し、そのとき押釦つまみ９０の各固定部９９を、押釦つまみ載置部１１７の取付部１３２と、スイッチ取付部２０１の取付部２１３とに挿入し、スイッチ取付部２０１の下面から突出する固定部９９先端を熱カシメによって取り付ける。なおこの実施形態では押釦つまみ載置部１１７と押釦つまみ９０とを別部品で構成したが、これらは一体成形品で構成しても良い。
【００４１】
そして前記固定部材１１０の上面に、前記連結部材７０を取り付けた揺動つまみ５０を配置し、その際揺動つまみ５０のつまみ挿入部５３に押釦つまみ９０のつまみ本体部９１を挿入し、同時に連結部材７０の各固定孔７９に固定部材１１０の各固定突起１１９を挿入してその先端を熱カシメして取り付ける。
【００４２】
次に回転つまみ１０のロックつまみ挿入部１５にその下面側からロックつまみ３０のつまみ本体部３１を挿入したものを、揺動つまみ５０の上から被せ、一方クリック板１４０付の固定部材１１０の下面側に板バネ１５０付の回転型物１７０を設置し、回転つまみ１０の外周に設けた係止孔１８に回転型物１７０の外周に設けた係止突起１８４を係合し、一体に回転するように取り付ける。このとき固定部材１１０の軸支部１１６が回転型物１７０の軸支孔１７１に挿入されることで、回転型物１７０及びこれに固定された回転つまみ１０は軸支部１１６を中心軸として回動自在となる。またこのときロックつまみ３０のロック部３５は固定部材１１０のロック係合部１２３と回転型物１７０のロック部収納部１７５内に挿入される。
【００４３】
そして回転型物１７０の下面側にフレキシブル基板１９０と取付板２４０とを配置し、その際フレキシブル基板１９０に設けた各係止穴１９７と、取付板２４０に設けた各係止孔２４１に固定部材１１０の下面の固定部１１８を挿入し、その先端を取付板２４０の下面で熱カシメする。これによってこの多方向押圧型スイッチ１−１が完成する。このとき取付板２４０の押圧部２４３はフレキシブル基板１９０の挿通穴１９２に挿入される。
【００４４】
以上のようにして構成された多方向押圧型スイッチ１−１は、図２に示すように、フレキシブル基板１９０及び取付板２４０上に固定部材１１０を固定し、固定部材１１０の軸支部１１６に回転型物１７０を回動自在に軸支し、また固定部材１１０の上部に取り付けた連結部材７０によって揺動つまみ５０を揺動自在に保持し、また固定部材１１０の開口部１１３内の中央にヒンジ１１５によって支持された押釦つまみ載置部１１７上に押釦つまみ９０を取り付けることで押釦つまみ９０を上下動自在に設置して構成されている。
【００４５】
またこの多方向押圧型スイッチ１−１は、押釦つまみ載置部１１７の下面に設置した中央スイッチ２１５の反転板２１６の上に取付板２４０に設けた押圧部２４３を当接又は接近して配置し、揺動つまみ５０の各押圧部５９先端を各外周スイッチ１９３の反転板１９５上に当接又は接近して配置している。また回転型物１７０に取り付けた摺動子１８５の摺接部１８７はフレキシブル基板１９０上の摺接パターン１９４（図１−２参照）に弾接している。また板バネ１５０のクリック係合部１６１はクリック板１４０に弾接しており、同時に板バネ１５０の押し上げ部１６３はロックつまみ３０のロック部３５の下面を上方向に弾発して押し上げている。
【００４６】
またこのとき押釦つまみ９０の各ガイド突起９５（図４参照）は、揺動つまみ５０下面の各ガイド溝６３内に挿入され、揺動つまみ５０に対して押釦つまみ９０を上下動自在にガイド（回り止め）している。
【００４７】
次にこの多方向押圧型スイッチ１−１の動作を説明する。図２はロックつまみ３０が前記板バネ１５０の押し上げ部１６３によって押し上げられて、そのロック部３５が固定部材１１０のロック係合部１２３内に係合して回転つまみ１０がロックされた状態を示している。なおこのとき回転つまみ１０の一方のストッパー部１７−１（図１−１参照）は、固定部材１１０のロック係合部１２３に近い側のストッパー部１２５（図１−１参照）に当接していて、その位置よりも図１−１に示す矢印Ａ１方向には回動できない状態となっている。そしてこの状態からロックつまみ３０のつまみ本体部３１を下方向に押圧すれば、押し上げ部１６３の弾発力に抗してロックつまみ３０が下降してそのロック部３５がロック係合部１２３の下側に移動することでロックが解除され、この状態のまま回転つまみ１０を図１−１に示す矢印Ａ２方向に回動すれば、ロックつまみ３０のロック部３５は固定部材１１０のロック用基部１２１の下面側を通過した後にロック用基部１２１が無くなった部分（図１−１に示す側面１２１ａの部分）において押し上げ部１６３の弾発力によって上方向に押し上げられ、その状態のままさらに回動を続ければ回転つまみ１０のストッパー部１７−２が固定部材１１０のもう一方のストッパー部１２６（図１−１参照）に当接してその回動ができなくなるまで回動する。この位置から再び回転つまみ１０を逆方向（矢印Ａ１方向）に回動すると、回転つまみ１０は回動を続け、ロックつまみ３０のロック部３５側面がロック用基部１２１の側面１２１ａに当接した位置で一旦停止する。そしてロックつまみ３０のつまみ本体部３１を下方向に押圧すれば、押し上げ部１６３の弾発力に抗してロックつまみ３０が下降してそのロック部３５がロック用基部１２１の下面側に移動し、この状態のまま回転つまみ１０を矢印Ａ１方向に回動することが可能となり、さらに回転つまみ１０を回転すると、ストッパー部１７−１がストッパー部１２５に当接すると同時にロック部３５が固定部材１１０のロック係合部１２３に係合して上昇してロックされ、それよりも矢印Ａ１方向へは回転つまみ１０を回動できなくなる。そして上記回転つまみ１０の回転によってこれと一体に回転する回転型物１７０に取り付けた摺動子１８５の摺接部１８７が摺接パターン１９４上を摺動することで、その電気的出力が変化する。
【００４８】
一方中央の押釦つまみ９０のつまみ本体部９１を押圧すると、ヒンジ１１５が撓むことで押釦つまみ載置部１１７が下降し、取付板２４０の押圧部２４３が反転板２１６を押圧してこれを反転し、中央スイッチ２１５をオンする。前記押釦つまみ９０への押圧を解除すれば、反転板２１６及びヒンジ１１５の弾性復帰力によって押釦つまみ９０は元の位置に自動復帰し、前記中央スイッチ２１５はオフする。
【００４９】
また揺動つまみ５０の所定位置を押圧すると、連結部材７０が撓むことで、押圧した部分が下降（揺動）し、これによって下降した側の揺動つまみ５０の押圧部５９がこれに対向する反転板１９５を押圧してこれを反転し、その外周スイッチ１９３をオンする。前記揺動つまみ５０への押圧を解除すれば、反転板１９５及び連結部材７０の弾性復帰力によって揺動つまみ５０は元の位置に自動復帰し、前記外周スイッチ１９３はオフする。
【００５０】
なお上述のように、揺動つまみ５０の外周を囲む位置に設置される回転式電子部品は、回転つまみ１０，回転つまみ１０と一体に回転して回転式電子部品の電気的出力を変化する回転型物１７０及び摺動子１８５及びフレキシブル基板１９０の摺接パターン１９４等によって構成されている。
【００５１】
以上のように本実施形態においては、押釦つまみ９０と、押釦つまみ９０を囲むように設置される揺動つまみ５０と、押釦つまみ９０によって押圧される位置に設置される中央スイッチ２１５と、前記中央スイッチ２１５の周囲であって揺動つまみ５０によって押圧される位置に設置される外周スイッチ１９３と、揺動つまみ５０の外周を囲む位置に設置されて回転つまみ１０を回動することで電気的出力を変化する回転式電子部品とを具備して多方向押圧型スイッチ１−１を構成したので、多方向押圧型スイッチ１−１の外周部分のスペースをそのまま回転式電子部品として利用することができ、容易に多方向押圧型スイッチ１−１に回転式電子部品の機能をも一体に併せ持たせることができる。
【００５２】
また回転つまみ１０に、この回転つまみ１０を所定位置でロック及びロック解除を行うロック機構を設けたので、回転つまみ１０の回転を制限することができる。
【００５３】
また回転つまみ１０と一体に回転する回転型物１７０の中央に設けた軸支孔１７１に挿入されてこの回転型物１７０及び回転つまみ１０を回動自在に軸支する軸支部１１６を有する固定部材１１０を設置したので、回転式電子部品を多方向押圧型スイッチ１−１の外周に簡単な構造で容易に設置することが可能となる。
【００５４】
またこの実施形態では、固定部材１１０の軸支部１１６内に設けた開口部１１３内に、この固定部材１１０と一体に、ヒンジ（可撓性を有する連結部材）１１５と、このヒンジ１１５によって上下動自在に保持される押釦つまみ載置部１１７とを成形し、この押釦つまみ載置部１１７に中央スイッチ２１５及び押釦つまみ９０を設置しているので、回転型物１７０及び回転つまみ１０を回動自在に軸支する固定部材１１０を、中央スイッチ２１５及び押釦つまみ９０の保持部材として兼用できる。
【００５５】
またこの実施形態においては、前記図１１に示すように、揺動つまみ３３０を揺動自在に保持する連結部材３５０に押釦つまみ３１０を取り付けず、その代わりに押釦つまみ９０を固定部材１１０に上下動自在に保持する第一連結部材となるヒンジ１１５と、揺動つまみ５０を固定部材１１０に揺動自在に保持する第二連結部材となる連結部材７０とを別部品で構成したので、押釦つまみ９０と揺動つまみ５０とが直接連結されず、従って例えば押釦つまみ９０の押圧ストロークが長くなってもこれに容易に対応できる。従って例えば押釦つまみ９０の下に設置するスイッチは、この実施形態のように一段ではなく、上下に二段以上の、押圧方向に複数に積層されて構成された多段スイッチで構成しても良い。
【００５６】
〔第二実施形態〕
図７−１，図７−２は、本発明の第二実施形態にかかる回転式電子部品付き多方向押圧型スイッチ（以下簡略化のため「多方向押圧型スイッチ」という）１−２の分解斜視図である。また図８はこの多方向押圧型スイッチ１−２の概略断面図（但し図示の都合上、切断面は各部で異ならせている）である。この実施形態において前記第一実施形態と同一又は相当部分には同一符号を付してその詳細な説明は省略する。
【００５７】
即ちこの実施形態にかかる多方向押圧型スイッチ１−２においても、その上側から、回転つまみ１０と、ロックつまみ３０と、揺動つまみ５０と、連結部材（第二連結部材）７０と、押釦つまみ９０と、固定部材１１０と、クリック板１４０と、板バネ１５０と、回転型物１７０と、フレキシブル基板１９０と、取付板２４０とを具備して構成されている。そして回転つまみ１０と、ロックつまみ３０と、揺動つまみ５０と、連結部材７０と、クリック板１４０と、板バネ１５０と、回転型物１７０と、取付板２４０とは、前記第一実施形態と全く同一なので、以下、押釦つまみ９０と固定部材１１０とフレキシブル基板１９０について、第一実施形態との相違点を中心に説明する。
【００５８】
図１０は押釦つまみ９０を下面側から見た斜視図である。図１０及び図７−１に示すように、押釦つまみ９０は成形樹脂製であり、前記第一実施形態の押釦つまみ９０と同様に、円柱状のつまみ本体部９１の下面外周からつば部９３を突出し、またつば部９３の外周からさらに等間隔に四本のガイド突起９５を突出して構成されている。この実施形態にかかる押釦つまみ９０は、前記図４に示す押釦つまみ９０と相違し、突出部９７や固定部９９を設けず、その代りにその下面中央に小突起状の押圧部９６を設けている。
【００５９】
図９は固定部材１１０を下面側から見た斜視図である。図９及び図７−１に示す固定部材１１０において、前記第一実施形態にかかる固定部材１１０と相違する点は、押釦つまみ載置部１１７の突出部１３１，１３１に小孔からなる取付部１３２，１３２を設ける代りに、突出部１３１，１３１の上下面からそれぞれ小突起状の取付突部１３３，１３４を突出した点のみである。
【００６０】
図７−２に示すフレキシブル基板１９０において、前記図１−２に示すフレキシブル基板１９０と相違する点は、スイッチ取付部２０１に接続部２１７を介して第二スイッチ取付部２１９を設けた点のみである。即ち第二スイッチ取付部２１９は、スイッチ取付部２０１と略同一形状・構造であり、具体的には、略矩形状で前記スイッチ取付部２０１と略同一の外形寸法形状に形成され、その対向する一対の外周辺から舌片状の突出部２２１を突出し、各突出部２２１に貫通孔からなる取付部２２３を設けている。第二スイッチ取付部２１９の中央には第二中央スイッチ２２５が設けられている。第二スイッチ２２５は第二スイッチ取付部２１９に形成された図示しない接点パターンを覆うように弾性金属板をドーム形状に形成してなる反転板（可動接点板）２２７を取り付けて構成されている。
【００６１】
次にこの多方向押圧型スイッチ１−２の組み立て方法の一例を説明すると、まず予め揺動つまみ５０の下面側に連結部材７０を配置して、前記第一実施形態の場合と同じ方法によって連結部材７０を揺動つまみ５０に取り付ける。また固定部材１１０の下面にクリック板１４０を取り付け、前記第一実施形態の場合と同じ方法によって固定部材１１０にクリック板１４０を取り付ける。また回転型物１７０の上面に板バネ１５０を載置して、前記第一実施形態の場合と同じ方法によって板バネ１５０を回転型物１７０に取り付ける。一方回転型物１７０の下面の摺動子収納凹部１７７内に摺動子１８５を前記第一実施形態の場合と同じ方法によって取り付ける。
【００６２】
そしてフレキシブル基板１９０のスイッチ取付部２０１及び第二スイッチ取付部２１９を、図７−２に示す状態からフレキシブル基板１９０の上面側に折り返した上で、回転型物１７０の軸支孔１７１及び板バネ１５０の開口１６５に通し、スイッチ取付部２０１の反転板２１６を取り付けた反対側の面を固定部材１１０の押釦つまみ載置部１１７の下面に載置し、このとき押釦つまみ載置部１１７の下面に設けた取付突部１３４をスイッチ取付部２０１の取付部２１３に挿入し、その先端を熱カシメして取り付ける。次に接続部２１７の部分を折り返すことで第二スイッチ取付部２１９を押釦つまみ載置部１１７の上面側に載置し、このとき押釦つまみ載置部１１７の上面に設けた取付突部１３３を第二スイッチ取付部２１９の取付部２２３に挿入し、その先端を熱カシメして取り付ける。これによって図８に示すように、スイッチ取付部２０１に取り付けた中央スイッチ２１５の反転板２１６は下向きとなり、第二スイッチ取付部２１９に取り付けた第二中央スイッチ２２５の反転板２２７は上向きとなる。
【００６３】
そして前記固定部材１１０の上面に、前記連結部材７０を取り付けた揺動つまみ５０を配置し、前記第一実施形態と同じ方法によってこれら連結部材７０及び揺動つまみ５０を固定部材１１０に固定し、次に回転つまみ１０のロックつまみ挿入部１５にその下面側からロックつまみ３０のつまみ本体部３１を挿入したものを、揺動つまみ５０の上から被せ、一方固定部材１１０の下面側に回転型物１７０を設置し、回転つまみ１０の外周に設けた係止孔１８に回転型物１７０の外周に設けた係止突起１８４を係合し、一体に回転するように固定する。このとき固定部材１１０の軸支部１１６が回転型物１７０の軸支孔１７１に挿入されることで、回転型物１７０及びこれに固定された回転つまみ１０は軸支部１１６を中心にして回動自在となる。またこのときロックつまみ３０のロック部３５は固定部材１１０のロック係合部１２３と回転型物１７０のロック部収納部１７５内に挿入される。
【００６４】
そして回転型物１７０の下面側にフレキシブル基板１９０と取付板２４０とを配置し、その際フレキシブル基板１９０に設けた各係止穴１９７と、取付板２４０に設けた各係止孔２４１に固定部材１１０の下面の固定部１１８を挿入し、その先端を取付板２４０の下面で熱カシメする。これによってこの多方向押圧型スイッチ１−２が完成する。このとき取付板２４０の押圧部２４３はフレキシブル基板１９０の挿通穴１９２に挿入される。
【００６５】
以上のようにして構成された多方向押圧型スイッチ１−２は、図８に示すように、フレキシブル基板１９０及び取付板２４０上に固定部材１１０を固定し、固定部材１１０の軸支部１１６に回転型物１７０を回動自在に軸支し、また固定部材１１０の上部に取り付けた連結部材７０によって揺動つまみ５０を揺動自在に保持し、また固定部材１１０の開口部１１３内の中央にヒンジ１１５によって支持された押釦つまみ載置部１１７に押圧方向に複数積層された中央スイッチ２１５，第二中央スイッチ２２５及び押釦つまみ９０を上下動自在に設置して構成されている。
【００６６】
またこの多方向押圧型スイッチ１−２は、押釦つまみ載置部１１７の下面に設置したスイッチ２１５の反転板２１６の上に取付板２４０に設けた押圧部２４３を当接又は接近して配置し、押釦つまみ載置部１１７の上面に設置した第二中央スイッチ２２５の反転板２２７の上に押釦つまみ９０の押圧部９６を当接又は接近して配置し、さらに揺動つまみ５０の各押圧部５９先端を各外周スイッチ１９３の反転板１９５上に当接又は接近して配置している。また回転型物１７０に取り付けた摺動子１８５の摺接部１８７はフレキシブル基板１９０上の摺接パターン１９４（図７−２参照）に弾接している。また板バネ１５０のクリック係合部１６１はクリック板１４０に弾接しており、同時に板バネ１５０の押し上げ部１６３はロックつまみ３０のロック部３５の下面を上方向に弾発して押し上げている。またこのとき押釦つまみ９０の各ガイド突起９５は、揺動つまみ５０下面の各ガイド溝６３（図３参照）内に挿入され、揺動つまみ５０に対して押釦つまみ９０を上下動自在にガイド（回り止め）している。
【００６７】
次にこの多方向押圧型スイッチ１−２の動作を説明する。なおロック機構の操作を含む回転つまみ１０の動作は上記第一実施形態と同一なので、その説明は省略する。そして中央の押釦つまみ９０のつまみ本体部９１を押圧すると、揺動つまみ５０下面のガイド溝６３（図３参照）に上下動自在にガイドされている押釦つまみ９０が下降し、その押圧部９６が押釦つまみ固定部１１７の上面側に設置した反転板２２７を押圧してこれを反転し、第二中央スイッチ２２５をオンする。さらに押釦つまみ９０を押圧して下降すると、押釦つまみ固定部１１７全体がヒンジ１１５を撓めながら下降し、取付板２４０の押圧部２４３が押釦つまみ固定部１１７の下面に設けた反転板２１６を押圧してこれを反転し、中央スイッチ２１５をオンする。前記押釦つまみ９０への押圧を解除していけば、反転板２１６及びヒンジ１１５及び反転板２２７の弾性復帰力によって押釦つまみ９０は元の位置に自動復帰してゆき、前記中央スイッチ２１５と第二中央スイッチ２２５はこの順番でオフしていく。なお反転板２１６，２２７の反転に必要な押圧力を変更することで、前記スイッチ２１５，２２５のオンオフの順番を変更できることはいうまでもない。このようにこの実施形態では押釦つまみ９０によって押圧される中央のスイッチが、押圧方向に複数に積層されて構成された二段スイッチとなっている。
【００６８】
また揺動つまみ５０については前記第一実施形態と同様に、揺動つまみ５０の所定位置を押圧すると、連結部材７０が撓むことで、押圧した部分が下降（揺動）し、これによって下降した側の揺動つまみ５０の押圧部５９がこれに対向する反転板１９５を押圧してこれを反転し、その外周スイッチ１９３をオンする。前記揺動つまみ５０への押圧を解除すれば、反転板１９５及び連結部材７０の弾性復帰力によって揺動つまみ５０は元の位置に自動復帰し、前記外周スイッチ１９３はオフする。
【００６９】
以上のようにこの実施形態においても、多方向押圧型スイッチ１−２の外周部分のスペースをそのまま回転式電子部品として利用することができ、容易に多方向押圧型スイッチ１−２に回転式電子部品の機能をも一体に併せ持たせることができる。また回転つまみ１０に、この回転つまみ１０を所定位置でロック及びロック解除を行うロック機構を設けたので、回転つまみ１０の回転を制限することができる。また回転型物１７０及び回転つまみ１０を回動自在に軸支する固定部材１１０を、中央スイッチ２１５及び押釦つまみ９０の載置部材として兼用できる。
【００７０】
またこの実施形態においても、前記図１１に示すように、揺動つまみ３３０を揺動自在に保持する連結部材３５０に押釦つまみ３１０を取り付けず、その代わりに押釦つまみ９０を固定部材１１０のヒンジ（第一連結部材）１１５に連結された押釦つまみ載置部１１７上に載置して保持したので、押釦つまみ９０と揺動つまみ５０とが直接連結されず、従って押釦つまみ９０によって多段スイッチをオンオフ操作させる場合にその押圧ストロークが長くなってもこれに容易に対応できる。
【００７１】
図１２は図７−１，２に示す多方向押圧型スイッチ１−２の変形例を示す多方向押圧型スイッチ１−２Ａの分解斜視図（上側部分）である。なお多方向押圧型スイッチ１−２Ａの下側部分は図７−２と同一なのでその表示は省略する。この変形例において図７−１，２に示す多方向押圧型スイッチ１−２と相違する点は、連結部材７０の中央に円形の押釦つまみ載置部８５を設け、これを四本の中間連結部８７によってそれぞれ連結部７１の中央に連結し、この押釦つまみ載置部８５の上に押釦つまみ９０を接着剤や熱カシメ等の取付手段によって取り付けた点のみである。
【００７２】
このように押釦つまみ９０を連結部材７０に取り付ければ、押釦つまみ９０の位置決めが正確になり、その上下動が正確に行え、図７−２に示す第二中央スイッチ２２５の反転板２２７の中央を正確に押圧できる。なおこの変形例の場合、揺動つまみ５０と押釦つまみ９０を何れも連結部材７０に取り付けることとなるので、押釦つまみ９０の押圧方向のストロークが図７−１，２に示す多方向押圧型スイッチ１−２の押釦つまみ９０ほど長く取れない恐れがあるが、連結部材７０の固定孔７９間の距離が長い場合は前記ストロークを長く取れ、実際上問題ない。
【００７３】
図１３は図７−１，２に示す多方向押圧型スイッチ１−２の他の変形例を示す多方向押圧型スイッチ１−２Ｂの分解斜視図（下側部分）である。なお多方向押圧型スイッチ１−２Ｂの上側部分は図７−１と同一なのでその表示は省略する。この変形例において図７−１，２に示す多方向押圧型スイッチ１−２と相違する点は、フレキシブル基板１９０に設けた挿通穴１９２とスイッチ取付部２０１、及び取付板２４０に設けた押圧部２４３を省略した点と、その代りにフレキシブル基板１９０上面の四つの外周スイッチ１９３の中央に中央スイッチ２１５を設置した点のみである。中央スイッチ２１５はフレキシブル基板１９０の中央に設けた図示しない接点パターンを覆うように反転板（可動接点板）２１６を取り付けて構成されている。
【００７４】
そして第二スイッチ取付部２１９は図７−１に示す固定部材１１０の押釦つまみ載置部１１７の上面側に載置され、第二実施形態の取付方法と同一の取付方法によって取り付けられる。従ってこの変形例の場合、押釦つまみ９０の下側に上向きとなった第二中央スイッチ２２５の反転板２２７が位置し、固定部材１１０の押釦つまみ載置部１１７の下側に中央スイッチ２１５の反転板２１６が位置する。従ってこの変形例においても、押釦つまみ９０を押圧することで例えば先に反転板２２７が反転して第二中央スイッチ２２５がオンし次に反転板２１６が反転して中央スイッチ２１５がオンする。
【００７５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記各実施形態では、揺動つまみ５０の外周を囲む位置に回転つまみ１０を設置したが、押釦つまみ９０を固定部材１１０上に上下動自在に保持する第一連結部材となるヒンジ１１５と、前記揺動つまみ５０を固定部材１１０に揺動自在に保持する第二連結部材となる連結部材７０とを、別部品で構成して押釦つまみ９０の押圧ストロークを長くするという目的のためには回転つまみ１０は必ずしも必要なく、その目的だけの多方向押圧型スイッチであれば回転つまみ１０を省略しても良い。
【図面の簡単な説明】
【００７６】
【図１−１】本発明の第一実施形態にかかる多方向押圧型スイッチ１−１の分解斜視図（上側部分）である。
【図１−２】本発明の第一実施形態にかかる多方向押圧型スイッチ１−１の分解斜視図（下側部分）である。
【図２】多方向押圧型スイッチ１−１の概略断面図である。
【図３】揺動つまみ５０を下面側から見た斜視図である。
【図４】押釦つまみ９０を下面側から見た斜視図である。
【図５】固定部材１１０を下面側から見た斜視図である。
【図６】回転型物１７０を下面側から見た斜視図である。
【図７−１】本発明の第二実施形態にかかる多方向押圧型スイッチ１−２の分解斜視図（上側部分）である。
【図７−２】本発明の第二実施形態にかかる多方向押圧型スイッチ１−２の分解斜視図（下側部分）である。
【図８】多方向押圧型スイッチ１−２の概略断面図である。
【図９】固定部材１１０を下面側から見た斜視図である。
【図１０】押釦つまみ９０を下面側から見た斜視図である。
【図１１】従来の多方向押圧型スイッチ３００を示す概略断面図である。
【図１２】多方向押圧型スイッチ１−２の変形例を示す多方向押圧型スイッチ１−２Ａの分解斜視図（上側部分）である。
【図１３】多方向押圧型スイッチ１−２の他の変形例を示す多方向押圧型スイッチ１−２Ｂの分解斜視図（下側部分）である。
【符号の説明】
【００７７】
１−１  回転式電子部品付き多方向押圧型スイッチ（多方向押圧型スイッチ）
１０  回転つまみ
１３  開口部
３０  ロックつまみ
５０  揺動つまみ
７０  連結部材（第二連結部材）
９０  押釦つまみ
１１０  固定部材
１１１  基部
１１３  開口部
１１５  ヒンジ（第一連結部材）
１１６  軸支部
１１７  押釦つまみ載置部
１４０  クリック板
１５０  板バネ
１５１  クリック用アーム部
１５３  ロックつまみ押上用アーム部
１６１  クリック係合部
１６３  押し上げ部
１７０  回転型物
１７１  軸支孔
１８５  摺動子
１９０  フレキシブル基板
１９３  スイッチ
１９４  摺接パターン
１９５  反転板
２０１  スイッチ取付部
２０３  連結部
２４０  取付板
１−２  回転式電子部品付き多方向押圧型スイッチ（多方向押圧型スイッチ）
９６  押圧部
１３３  取付突部
１３４  取付突部
２１７  接続部
２１９  第二スイッチ取付部
２２５  スイッチ
２２７  反転板
【図１−１】
2005317337.tif 000003
【図１−２】
2005317337.tif 000004
【図２】
2005317337.tif 000005
【図３】
2005317337.tif 000006
【図４】
2005317337.tif 000007
【図５】
2005317337.tif 000008
【図６】
2005317337.tif 000009
【図７−１】
2005317337.tif 000010
【図７−２】
2005317337.tif 000011
【図８】
2005317337.tif 000012
【図９】
2005317337.tif 000013
【図１０】
2005317337.tif 000014
【図１１】
2005317337.tif 000015
【図１２】
2005317337.tif 000016
【図１３】
2005317337.tif 000017